(57)【特許請求の範囲】
【請求項１】
平板状の第１の基材と、該第１の基材の少なくとも一方の面に積層されると共に研磨粒子により構成された第１のバッファ層とを有する平板状の第１の部材と、
平板状の第２の基材と、該第２の基材の少なくとも一方の面に積層されると共に研磨粒子により構成された第２のバッファ層とを有する平板状の第２の部材とを備え、
前記第１の部材及び前記第２の部材のうち、少なくとも一方に、他方の厚みと略同じ幅のスリットが設けられた
爪の手入れ器具。
【請求項２】
前記スリットの一端は、前記スリットが設けられた、前記第１の部材及び前記第２の部材のうち少なくとも一方の縁に達する
請求項１に記載の爪の手入れ器具。
【請求項３】
前記第１の部材及び前記第２の部材のうち、少なくとも、一方に設けられたスリットの長手方向の中心軸線の延長線上に位置する領域の長さと、他方に設けられたスリットの長手方向の長さが、略同じである
請求項２に記載の爪の手入れ器具。
【請求項４】
前記第１のバッファ層、若しくは、前記第２のバッファ層は、第１の研磨粒子により構成された研磨部と、
前記第１の研磨粒子より小さい第２の研磨粒子により構成された仕上げ部とを有する
請求項１〜３のいずれか１つに記載の爪の手入れ器具。
【請求項５】
前記第１のバッファ層は、第１の研磨粒子により構成された研磨部であり、
前記第２のバッファ層は、前記第１の研磨粒子より小さい第２の研磨粒子により構成された仕上げ部である
請求項１〜３のいずれか１つに記載の爪の手入れ器具。
【発明の詳細な説明】
【技術分野】
【０００１】
本発明は爪の手入れ器具に関する。詳しくは、爪を研磨したり、爪の艶を出したりするときに用いられる爪の手入れ器具に係るものである。
【背景技術】
【０００２】
爪の表面を美しくするために、エナメル液を爪の表面に塗布する方法がある。
【０００３】
また、エナメル液は、ニトロセルロースを、酢酸エチル、酢酸ブチル、メチルエチルケトン、トルエン、キシレンなどの溶剤で溶解して得られた液であるので、爪の表面に塗布されたエナメル液を除去する除去液も、必然的にこれら溶剤を主成分とする。
【０００４】
しかし、このような溶剤を含むエナメル液や除去液の使用頻度が高くなると、爪を構成する主要たんぱくの角質またはケラチンが酸化されやすくなり、結果的に爪が脆弱になったり、変色しやすくなったりして、爪の健康上、好ましくなかった。
【０００５】
そこで、このようなエナメル液を使用しない乾式方法が提案されており、例えば、特許文献１には、図５に示すような爪の手入れ器具が記載されている。
【０００６】
即ち、特許文献１に記載された爪の手入れ器具Ｎは、芯材１１０と、芯材１１０の両面に付着された発砲ポリウレタン等からなる接触部材（１２０Ａ、１２０Ｂ）と、接着部を介して接触部材（１２０Ａ、１２０Ｂ）上に付着された研磨部１４０と、研磨部１４０上に形成された印刷部１６０とを備える。また、研磨部１４０は、異なる粒径を有する研磨材からなる副研磨部（１４１、１４３）からなる。
【先行技術文献】
【特許文献】
【０００７】
【特許文献１】特開２０１０−１５５９８８号公報
【発明の概要】
【発明が解決しようとする課題】
【０００８】
ところで、特許文献１に記載の爪の手入れ器具は、爪の手入れ以外の時は特に利用価値もなく、引き出しの中などにしまわれており、場合によってはそのまま忘れ去られ、利用者は、無駄に買い足してしまうこともあった。
【０００９】
本発明は、以上の点に鑑みて創案されたものであり、爪の手入れ以外の時でも利用価値がある爪の手入れ器具を提供することを目的とする。
【課題を解決するための手段】
【００１０】
上記の目的を達成するために、本発明の爪の手入れ器具は、平板状の第１の基材と、該第１の基材の少なくとも一方の面に積層されると共に研磨粒子により構成された第１のバッファ層とを有する平板状の第１の部材と、平板状の第２の基材と、該第２の基材の少なくとも一方の面に積層されると共に研磨粒子により構成された第２のバッファ層とを有する平板状の第２の部材とを備え、前記第１の部材及び前記第２の部材のうち、少なくとも一方に、他方の厚みと略同じ幅のスリットが設けられたものである。
【００１１】
ここで、平板状の第１の部材及び平板状の第２の部材のうち、少なくとも一方に、他方の厚みと略同じ幅のスリットが設けられているので、例えばスリットが第１の部材に設けられ、このスリットに第２の部材を嵌め込むことで、立体的な組立物を得ることができる。
【００１２】
また、本発明で言うスリットの「幅」とは、スリットの長手方向に対して直角方向の長さを意味する。
また、本発明で言う、「第１の基材の面に第１のバッファ層が積層される」や「第２の基材の面に第２のバッファ層が積層される」とは、第１の基材や第２の基材に直接、第１のバッファ層や第２のバッファ層が積層される態様だけでなく、他の層を介して第１のバッファ層や第２のバッファ層が積層される態様も含まれるものとする。
【００１３】
また、本発明の爪の手入れ器具において、スリットの一端は、スリットが設けられた、第１の部材及び第２の部材のうち少なくとも一方の縁に達するものとすることができる。
【００１４】
また、スリットの一端は、スリットが設けられた、第１の部材及び第２の部材の縁に達する本発明の爪の手入れ器具において、第１の部材及び第２の部材のうち、少なくとも、一方に設けられたスリットの長手方向の中心軸線の延長線上に位置する領域の長さと、他方に設けられたスリットの長手方向の長さが、略同じであるものとすることができる。
【００１５】
この場合、第１の部材に設けられたスリットと第２の部材に設けられたスリットそれぞれの閉端が互いに接触するよう、第１の部材と第２の部材を互いに直交させて重ね合わせたときに、第１の部材及び第２の部材のうち、一方に設けられたスリットの長手方向の中心軸線の延長線上に位置する領域の縁と、他方に設けられたスリットの開放端が形成された縁とが、略同一平面内に位置することになり、さらに、第１の部材と第２の部材を互いに直交させているので、これら縁が十字形状となり、安定して組立物を置くことができる。
【００１６】
また、このような縁をテーブル面などに接触させて、第１の部材と第２の部材の組立物を置くことができるので、接触面積が小さく、衛生的である。
【００１７】
また、本発明の爪の手入れ器具において、第１のバッファ層、若しくは、第２のバッファ層は、第１の研磨粒子により構成された研磨部と、第１の研磨粒子より小さい第２の研磨粒子により構成された仕上げ部とを有するものとすることができる。
【００１８】
この場合、第１の部材と第２の部材のうち、一方の部材だけで研磨と仕上げの両方を行なうことができる。
【００１９】
また、本発明の爪の手入れ器具において、第１のバッファ層は、第１の研磨粒子により構成された研磨部であり、第２のバッファ層は、第１の研磨粒子より小さい第２の研磨粒子により構成された仕上げ部であるものとすることができる。
【００２０】
この場合、第１の部材と第２の部材で組み立てられた組立物を分解するときに、一般的に左右の手で分解するため、例えば一方の手で持った第１の部材は研磨専用の部材、他方の手で持った第２の部材は仕上げ専用の部材、というように認識し易くなる。
【発明の効果】
【００２１】
本発明に係る爪の手入れ器具は、爪の手入れ以外の時でも利用価値がある。
【図面の簡単な説明】
【００２２】
【図１】本発明の爪の手入れ器具の一例を示す概略図である。
【図２】図１のＡ−Ａ線に沿った概略断面図である。
【図３】本発明の爪の手入れ器具を構成する第１の部材と第２の部材を組み合わせる様子を説明する概略図である。
【図４】本発明の他の例の爪の手入れ器具を構成する第１の部材と第２の部材を組み合わせる様子を説明する概略図である。
【図５】従来の爪の手入れ器具を示す概略図である。
【発明を実施するための形態】
【００２３】
以下、本発明の実施の形態について図面を参照しながら説明し、本発明の理解に供する。
図１は、本発明の爪の手入れ器具の一例を示す概略図である。また、図２は、図１のＡ−Ａ線に沿った概略断面図である。
【００２４】
本発明の爪の手入れ器具１は、平板状の第１の部材２と、平板状の第２の部材３とを備える。また、第１の部材２には、第１のスリット６が設けられ、第２の部材３には、第２のスリット７が設けられている。
【００２５】
また、第１の部材２は、平板状の第１の基材８と、第１の基材８の両面に積層された第１のスポンジ層９と、第１のスポンジ層９にそれぞれ積層された第１のバッファ層４とで構成されている。
【００２６】
また、第１の基材８は、例えばポリカーボネート、ポリエチレン、ポリスチレン、ポリプロピレンのような合成樹脂板材であり、ある程度の柔軟性を有する。
また、第１のスポンジ層９は、例えばＥＶＡ樹脂（エチレン−酢酸ビニル共重合樹脂）、発泡ポリウレタン、若しくは、ポリスチレンで構成されており、圧縮性と柔軟性を有する。
【００２７】
また、第１のバッファ層４は、第１の研磨粒子により構成された第１の研磨部４Ａと、第１の研磨粒子より小さい第２の研磨粒子により構成された第１の仕上げ部４Ｂとを有する。
【００２８】
また、第２のバッファ層５は、第１の研磨粒子により構成された第２の研磨部５Ａと、第１の研磨粒子よりも小さい第２の研磨粒子により構成された第２の仕上げ部５Ｂとを有する。
【００２９】
また、研磨粒子としては、例えば、炭化ケイ素、酸化鉄、シリカ、ムライト、ジルコニア、ガラス、ダイヤモンド、セラミック、アルミナが挙げられる。
【００３０】
また、第１のスリット６の幅Ｗ１は、第２の部材３の厚さと略同じであり、第２のスリット７の幅Ｗ２は、第１の部材の厚さＴ１と略同じである。
【００３１】
また、第１のスリット６の一端は、第１の部材２の縁まで達した開放端であり、第１のスリット６の他端は閉端である。
また、第１のスリット６の長手方向の長さ（以下、「第１のスリットの長さ」とする。）Ｌ１は、第２のスリット７の長手方向の中心軸線の延長線上に位置する領域の長さ（以下、「第２のスリットの延長線上領域の長さ」とする。）Ａ２と略同じである。
【００３２】
また、第２のスリット７の一端は、第２の部材３の縁まで達した開放端であり、第２のスリット７の他端は閉端である。
また、第２のスリット７の長手方向の長さ（以下、「第２のスリットの長さ」とする。）Ｌ２は、第１のスリット６の長手方向の中心軸線の延長線上に位置する領域の長さ（以下、「第１のスリットの延長線上領域の長さ」とする。）Ａ１と略同じである。
【００３３】
ここで、図示していないが、第２の部材３も第１の部材２と同様の積層構造を有する。
【００３４】
また、本発明の爪の手入れ器具が、平板状の第１の基材と、第１の基材の少なくとも一方の面に積層されると共に研磨粒子により構成された第１のバッファ層とを有する平板状の第１の部材と、平板状の第２の基材と、第２の基材の少なくとも一方の面に積層されると共に研磨粒子により構成された第２のバッファ層とを有する平板状の第２の部材とを備え、第１の部材及び第２の部材のうち、少なくとも一方に、他方の厚みと略同じ幅のスリットが設けられているのであれば、必ずしも、第１のスポンジ層が積層されていなくてもよい。例えば、第１の基材を発泡ポリウレタンで構成することもできる。
【００３５】
また、本発明の爪の手入れ器具が、平板状の第１の基材と、第１の基材の少なくとも一方の面に積層されると共に研磨粒子により構成された第１のバッファ層とを有する平板状の第１の部材と、平板状の第２の基材と、第２の基材の少なくとも一方の面に積層されると共に研磨粒子により構成された第２のバッファ層とを有する平板状の第２の部材とを備え、第１の部材及び第２の部材のうち、少なくとも一方に、他方の厚みと略同じ幅のスリットが設けられているのであれば、必ずしも、第１のバッファ層や第２のバッファ層はそれぞれ、研磨部と仕上げ部の両方を有していなくてもよい。
【００３６】
しかし、第１のバッファ層や第２のバッファ層がそれぞれ、研磨部と仕上げ部の両方を有していれば、一方の部材だけで研磨と仕上げの両方を行なうことができるので、好ましい。
【００３７】
また、第１のバッファ層が第１の基材の両面側に積層され、第２のバッファ層が第２の基材の両面側に積層されているが、片面側だけに積層されていてもよいことは勿論である。
【００３８】
その場合、片面側だけに積層された第１のバッファ層が、第１の研磨部と第１の仕上げ部の両方を有し、片面側だけに積層された第２のバッファ層が、第２の研磨部と第２の仕上げ部の両方を有していてもよい。
【００３９】
また、片面側だけに積層された第１のバッファ層が、第１の研磨部のみ、あるいは第１の仕上げ部のみを有していてもよいし、片面側だけに積層された第２のバッファ層が、第２の研磨部のみ、あるいは第２の仕上げ部のみを有していてもよい。
【００４０】
また、第１の部材２及び第２の部材３には、インクなどによって窓の絵や屋根の絵が印刷されているが、その他の内容例えば文字も印刷できることは勿論である。
【００４１】
また、第１の研磨部４Ａと第２の研磨部５Ａは、どちらも同じ大きさの研磨粒子（第１の研磨粒子）により構成され、また、第１の仕上げ部４Ｂと第２の仕上げ部５Ｂも、どちらも同じ大きさの研磨粒子（第２の研磨粒子）により構成されているが、必ずしもこれに限定されるものではない。
【００４２】
例えば、第１の研磨部は第１の研磨粒子により構成され、第２の研磨部は第１の研磨粒子よりも大きい第３の研磨粒子により構成され、第１の仕上げ部は第２の研磨粒子により構成され、第２の仕上げ部は第２の研磨粒子よりも小さい第４の研磨粒子により構成されるようにしてもよい。
【００４３】
図３は、本発明の爪の手入れ器具を構成する第１の部材と第２の部材を組み合わせる様子を説明する概略図である。
図３（ａ）に示すように、第１の部材２の表面が向く方角に対して、第２の部材３の表面が向く方角が略９０度となると共に、第１のスリット６の開放端と第２のスリット７の開放端を向き合わせ、さらに、第１のスリット６の中心軸線と第２のスリット７の中心軸線が一直線上に位置するように、利用者の手などで第１の部材２と第２の部材３を持つ。
【００４４】
次に、そのまま第１の部材２と第２の部材３を互いに近づけて、図３（ｂ）に示すように、第１のスリット６と第２のスリット７それぞれの閉端が互いに接触するよう、第１の部材と第２の部材を互いに直交させて重ね合わせる。
【００４５】
また、本発明の爪の手入れ器具が、平板状の第１の基材と、第１の基材の少なくとも一方の面に積層されると共に研磨粒子により構成された第１のバッファ層とを有する平板状の第１の部材と、平板状の第２の基材と、第２の基材の少なくとも一方の面に積層されると共に研磨粒子により構成された第２のバッファ層とを有する平板状の第２の部材とを備え、第１の部材及び第２の部材のうち、少なくとも一方に、他方の厚みと略同じ幅のスリットが設けられているのであれば、必ずしも第２のスリットの長さＬ２は、第１のスリットの延長線上領域の長さＡ１と略同じでなくてもよい。
【００４６】
しかし、第２のスリット７の長さＬ２が、第１のスリット６の延長線上領域の長さＡ１と略同じであれば、図３（ｂ）から判るように、第１のスリット６の延長線上領域の縁と、第２のスリット７の開放端が形成された縁とが、略同一平面内に位置することになり、さらに、第１の部材２と第２の部材３を互いに直交させているので、これら縁が十字形状となり、安定して組立物を置くことができるので好ましい。
【００４７】
また、第１のスリット６の長さＬ１は、第２のスリット７の延長線上領域の長さＡ２と略同じなので、図３（ｂ）から判るように、第２のスリット７の延長線上領域の縁と、第１のスリット６の開放端が形成された縁とが、略同一平面内に位置することになり、第１のスリット６の延長線上領域の縁と、第２のスリット７の開放端が形成された縁とが、略同一平面内に位置することと相まって、全体がまとまりよく見える。
【００４８】
図４は、本発明の他の例の爪の手入れ器具を構成する第１の部材と第２の部材を組み合わせる様子を説明する概略図である。
図４において、本発明の爪の手入れ器具１は、平板状の第１の部材２と、平板状の第２の部材３とを備える。
【００４９】
また、第１の部材２には、第１のスリット６が設けられているが、第２の部材３には、スリットは設けられていない。
また、第１のスリット６の幅Ｗ１は、第２の部材３の厚さと略同じである。
【００５０】
また、第１の部材２は略円形であるが、第２の部材３は、家の形状をしており、互いに形状が異なる。
【００５１】
そして、図４（ｂ）に示すように、第１のスリット６に、第２の部材３を嵌め込み、組立物が得られる。
【００５２】
また、第１の部材２の第１のバッファ層は、第１の研磨粒子により構成された第１の研磨部４Ａである。即ち、第１のバッファ層は、第１の仕上げ部を有していない。また、第１の研磨部４Ａは、第１の部材２の両面にある。
【００５３】
また、第２の部材３の第２のバッファ層は、第１の研磨粒子よりも小さい第２の研磨粒子により構成された第２の仕上げ部５Ｂである。即ち、第２のバッファ層は、第２の研磨部を有していない。また、第２の仕上げ部５Ｂは、第２の部材３の両面にある。
【００５４】
このように、第１の部材２は研磨専用の部材とし、第２の部材３は仕上げ専用の部材とすることで、図４（ｂ）に示した、第１の部材２と第２の部材３で組み立てられた組立物を分解するときに、一般的に左右の手で分解するため、例えば一方の手で持った第１の部材は研磨専用の部材、他方の手で持った第２の部材は仕上げ専用の部材、というように認識し易くなる。
【００５５】
また、図４の例において、第１の部材２の第１のバッファ層が、第１の研磨粒子よりも小さい第２の研磨粒子により構成された第１の仕上げ部であり、第１の研磨部を有していなくてもよい。即ち、第１の仕上げ部は、第１の部材２の両面にあるようにしてもよい。
【００５６】
また、図４の例において、第２の部材３の第２のバッファ層が、第１の研磨粒子により構成された第２の研磨部であり、第２の仕上げ部を有していなくてもよい。即ち、第２の研磨部は、第２の部材３の両面にあるようにしてもよい。
【００５７】
また、第１の部材２の一方の面の第１のバッファ層が、第１の研磨粒子により構成された第１の研磨部であり、第１の仕上げ部を有しておらず、他方の面の第１のバッファ層が、第１の研磨粒子よりも小さい第２の研磨粒子により構成された第１の仕上げ部であり、第１の研磨部を有していないようにしてもよい。
【００５８】
また、第２の部材３の一方の面の第２のバッファ層が、第１の研磨粒子により構成された第２の研磨部であり、第２の仕上げ部を有しておらず、他方の面の第２のバッファ層が、第１の研磨粒子よりも小さい第２の研磨粒子により構成された第２の仕上げ部であり、第２の研磨部を有していないようにしてもよい。
【００５９】
また、本発明の爪の手入れ器具が２つの部材を備える例を説明したが、基材とバッファ層をそれぞれ有する３つ以上の部材を備えていてもよく、その場合、３つ以上の部材の少なくとも一つには、他の部材の厚みと略同じ幅のスリットが設けられる。
また、本発明の爪の手入れ器具が３つ以上の部材を備える場合、それぞれの部材のバッファ層を構成する研磨粒子の大きさを互いに異ならせるようにすることができる。
【００６０】
以上のように、本発明の爪の手入れ器具は、平板状の第１の部材及び平板状の第２の部材のうち、少なくとも一方に、他方の厚みと略同じ幅のスリットが設けられているので、例えば第１の部材に設けられた第１のスリットに第２の部材を嵌め込むことで、立体的な組立物を得ることができる。
【００６１】
そして、得られた組立物は、置物として利用でき、よって、本発明の爪の手入れ器具は、爪の手入れ以外の時でも利用価値がある。
【００６２】
また、第１の部材と第２の部材の両方に、それぞれ開放端を有する第１のスリットと第２のスリットが設けられており、第２のスリットの長さが、第１のスリットの延長線上領域の長さと略同じであるので、第１のスリットの延長線上領域の縁と、第２のスリットの開放端が形成された縁とが、略同一平面内に位置することになり、さらに、第１の部材と第２の部材を互いに直交させているので、これら縁が十字形状となり、安定して組立物を置くことができる。
【００６３】
さらに、第１の部材と第２の部材を組み合わせて得られた組立物をテーブルに置く場合、テーブル面などと接触する部分が十字形状の縁であるから、テーブル面との接触面積が小さく、衛生的である。
【００６４】
また、本発明の爪の手入れ器具は、２つの部材で構成されているので、例えば第１の部材を研磨専用の部材として構成しておき、第２の部材を仕上げ専用の部材として構成しておくことで、２つの部材で組み立てられた組立物を左右の手で分解するときに、一方の手で持った第１の部材は研磨専用の部材、他方の手で持った第２の部材は仕上げ専用の部材、というように認識し易くなる。
【符号の説明】
【００６５】
１    爪の手入れ器具
２    第１の部材
３    第２の部材
４    第１のバッファ層
４Ａ  第１の研磨部
４Ｂ  第１の仕上げ部
５    第２のバッファ層
５Ａ  第２の研磨部
５Ｂ  第２の仕上げ部
６    第１のスリット
７    第２のスリット
８    第１の基材
９    第１のスポンジ層
Ｌ１  第１のスリットの長さ
Ａ１  第１のスリットの延長線上領域の長さ
Ｌ２  第２のスリットの長さ
Ａ２  第２のスリットの延長線上領域の長さ
Ｗ１    第１のスリットの幅
Ｗ２    第２のスリットの幅
Ｔ１    第１の部材の厚さ
【図１】
0005410458.tif 000002
【図２】
0005410458.tif 000003
【図３】
0005410458.tif 000004
【図４】
0005410458.tif 000005
【図５】
0005410458.tif 000006